(57)【特許請求の範囲】
【請求項１】
少なくとも２つのバルコニユニットを支持部材を介して隣接配置したバルコニであって、
前記支持部材上面は、前記バルコニユニットの床材上面より下方に位置され、
前記各バルコニユニットの上面に貼り付けられる防水シートが前記支持部材上面において互いに上下に重ね合わされた状態で略直線的に連続した面を形成するように貼り付けられていることを特徴とするバルコニ。
【請求項２】
請求項１に記載のバルコニにおいて、
前記支持部材上面は、前記バルコニユニットの床材上面から前記防水シートの厚み分下方に位置されていることを特徴とするバルコニ。
【請求項３】
請求項１または請求項２に記載のバルコニにおいて、
前記隣接するバルコニユニットの互いに対向する端面には、前記支持部材を保持する受材が取り付けられていることを特徴とするバルコニ。
【請求項４】
請求項１〜請求項３のいずれかに記載のバルコニにおいて、
前記バルコニユニットと前記支持部材上面の角隅部のうち少なくとも一方には弾性部材が載置されていることを特徴とするバルコニ。
【請求項５】
少なくとも２つのバルコニユニットを互いに隣接するように配置する第１工程と、
隣接するバルコニユニットの間に支持部材を前記バルコニユニットの床材上面より下方に位置するように配置する第２工程と、
隣接するバルコニユニットの一方側のバルコニユニットの床材上面に防水シートを貼り付けるとともにその端縁を前記支持部材上面まで延長させて貼り付ける第３工程と、
隣接するバルコニユニットの他方側のバルコニユニットの床材上面に防水シートを貼り付けるとともに、その端縁を前記一方側の防水シートの端縁に重なるように、かつ、上下に重ね合わされた状態で略直線的に連続した面を形成するように貼り付ける第４工程とを備えることを特徴とするバルコニの施工方法。
【請求項６】
請求項５に記載のバルコニの施工方法において、前記第１工程では、バルコニユニットを隣接配置する前に、各バルコニユニットの互いに対向する端面に、前記支持部材を保持する受材を取り付けることを特徴とするバルコニの施工方法。
【請求項７】
複数の直方体状建物ユニットで構成される建物本体と、互いに隣接した少なくとも２つのバルコニユニットから成るバルコニとを備えるユニット式建物であって、前記バルコニは、前記請求項１〜請求項４のいずれかに記載のバルコニを備えていることを特徴とするユニット式建物。
【発明の詳細な説明】
【０００１】
【発明の属する技術分野】
本発明は、建物に付設されるバルコニ、そのバルコニの施工方法およびそのバルコニを採用したユニット式建物に関する。
【０００２】
【背景技術】
従来より、工場にて製造された複数の直方体状の建物ユニットを建築現場にて組み合わせて形成されるユニット式建物が利用されている（特開平７−２８６３６７号、特開平８−１６５７２０号等）
ユニット式建物においてバルコニを付設する場合にも、予め工場にて複数のバルコニユニットを製造した後、建築現場へ輸送し、各バルコニユニットが互いに隣接するように、建物ユニット上で組み合わせてバルコニを形成している。
【０００３】
具体的には、工場にてベースフレーム上に、バルコニユニット上面を形成する軽量気泡コンクリート等の床材を設置してバルコニユニットを製造し、これらのバルコニユニットを建築現場へ輸送する。建築現場において、バルコニユニットを隣接配置し、その隣接するバルコニユニット間に支持部材を配置した後、バルコニユニットとその間の支持部材全体を覆うように、防水シートを貼り付けている。この際、床材は調整材を介して排水溝に向けて下方に傾斜を持って配置され、雨水等はその傾斜に沿って排水溝に流れて排水されるようになっている。ちなみに、排水構造に関しては例えば特願平６−２１０６１３号および特願平７−１６３６４３号に紹介されている。
【０００４】
【発明が解決しようとする課題】
しかしながら、従来の構造では、互いに隣接するバルコニユニットの接合部において、各バルコニユニットの間に介在する支持部材上面と床材上面が同じ高さレベルにあるので、複数の防水シートをバルコニ上面全体を覆うように連結して貼り付ける場合に、防水シートの重ね合わされた端部に沿って段差が形成されることになる。
【０００５】
近年のバルコニの多様化および大型化から、複数の防水シートを従来のように連続するように重ねて配置すると、それに伴い多数の段差が生じ、外観上好ましくないとともに、降り注いだ雨水等がその段差に滞留し排水がスムーズに行えないという問題があった。
【０００６】
本発明の目的は、防水シートをバルコニユニットに貼り付けてバルコニを構成する場合に、その段差部を目立たなくかつスムーズに排水できるバルコニ、バルコニの施工方法およびユニット式建物を提供することにある。
【０００７】
【課題を解決するための手段】
本発明のバルコニは、図面を参照して説明すると、少なくとも２つのバルコニユニット２１を支持部材２２２Ａを介して隣接配置したバルコニ２０であって、支持部材２２２Ａ上面は、バルコニユニット２１の床材２１２上面より下方に位置され、各バルコニユニット２１の上面に貼り付けられる防水シート２３Ａ、２３Ｂが支持部材２２２Ａ上面において互いに上下に重ね合わされた状態で略直線的に連続した面を形成するように貼り付けられていることを特徴とするものである。
【０００８】
このような本発明において、互いに隣接した少なくとも２つのバルコニユニット間に介在する支持部材の上面は、バルコニユニットの床材上面より下方に位置しているので、隣接するバルコニユニット間の防水処理を目的としてバルコニ上面に貼り付けられる防水シートは、以下のようにバルコニユニットの床材上面と支持部材上面とにおける段差を利用して貼り付けることができ、バルコニ上面には段差のない略直線的に連続した面を形成することができる。
すなわち、隣接するバルコニユニットの一方側のバルコニユニットの床材上面に防水シートを貼り付けるとともに、その端縁を支持部材上面まで延長させる。そして、隣接するバルコニユニットの他方側のバルコニユニットの床材上面に防水シートを貼り付けるとともに、その端縁を前記一方側のバルコニユニットに配置された防水シートの端縁の上に重なるように貼り付ける。ここで、他方側のバルコニユニットに配置された防水シート端縁を、一方側のバルコニユニットに配置された防水シート端縁の、床材と支持部材との段差による屈曲部に当接させ、２つの防水シート上面を段差のない略直線的に連続した面に形成する。
したがって、バルコニ上面は段差のない略直線的に連続した面で形成され、外観上好ましく、降り注がれた雨水等がバルコニ上面で滞留することなく、スムーズな排水が行われるようになり、本発明の目的が達成される。
【０００９】
ここで、支持部材２２２Ａ上面は、バルコニユニット２１の床材２１２上面から防水シート２３Ａ、２３Ｂの厚み分下方に位置されていることが望ましい。
このような構成では、支持部材上面がバルコニユニットの床材上面から防水シートの厚み分下方に位置しているので、少なくとも２つのバルコニユニットを支持部材を介して隣接配置した後に、防水シートを貼り付けるだけで、各防水シートの重ね合わされた接合部と支持部材との間に他の部材を介在させなくても、２つの防水シート上面は段差のない略直線的に連続した面を形成することができるから、余分な部材を省略することができ、コスト削減および作業効率の向上に繋がる。
【００１０】
さらに、隣接するバルコニユニット２１の互いに対向する端面には、支持部材２２２Ａを保持する受材２２１が取り付けられていることが望ましい。
このような構成では、バルコニユニットの床材端面に受材が取り付けてあるので、各バルコニユニットを隣接配置する際、その間に支持部材を配置するだけで、支持部材が受材に支持される。従って、取付に必要な特別な治具等は不要になり、作業効率の向上に繋がる。
【００１１】
また、バルコニユニット２１と支持部材２２２Ａ上面の角隅部のうち少なくとも一方には弾性部材２２３が載置されていることが望ましい。
このような構成では、隣接配置されたバルコニユニット間において、防水シートと支持部材の間に弾性部材が介在するので、床材と支持部材との段差による防水シートの屈曲部は、床材の角部に接することなく、弾性部材と接することになる。このため、防水シートの屈曲部に対する外力の影響を十分に緩和し、防水シートの破損に伴う浸水を防止することができる。
【００１２】
本発明のバルコニ２０の施工方法は、少なくとも２つのバルコニユニット２１を互いに隣接するように配置する第１工程と、隣接するバルコニユニット２１の間に支持部材２２２Ａを前記バルコニユニット２１の床材２１２上面より下方に位置するように配置する第２工程と、隣接するバルコニユニット２１の一方側のバルコニユニット２１の床材２１２上面に防水シート２３Ａを貼り付けるとともにその端縁を支持部材２２２Ａ上面まで延長させて貼り付ける第３工程と、隣接するバルコニユニット２１の他方側のバルコニユニットの床材２１２上面に防水シート２３Ｂを貼り付けるとともに、その端縁を一方側の防水シート２３Ａの端縁に重なるように、かつ、上下に重ね合わされた状態で略直線的に連続した面を形成するように、貼り付ける第４工程とを備えることを特徴とするものである。
【００１３】
このような構成では、建築現場にて（１）各バルコニユニットを隣接配置し、（２）その間に支持部材を配置した後、（３）隣接するバルコニユニットの一方側のバルコニユニットの床材上面に防水シートを貼り付けるとともに、その端縁を支持部材上面まで延長させる。（４）そして、隣接するバルコニユニットの他方側のバルコニユニットの床材上面に防水シートを貼り付けるとともに、その端縁を前記一方側のバルコニユニットに配置された防水シートの端縁の上に重なるように貼り付ける。ここで、他方側のバルコニユニットに配置された防水シート端縁は、一方側のバルコニユニットに配置された防水シート端縁を、床材と支持部材との段差による屈曲部に当接させる。以上のように貼り付けることで、各バルコニユニット上面とその間の支持部材上面を覆うことができ、バルコニ上面には段差のない略直線的に連続した面を形成することができる。したがって、このような作業工程により、容易な作業でバルコニを形成することができ、また、バルコニ上面には段差がなくかつスムーズな排水が行われるようになり、本発明の目的が達成される。
【００１４】
ここで、第１工程では、バルコニユニット２１を隣接配置する前に、各バルコニユニット２１の互いに対向する端面に、前記支持部材２２２Ａを保持する受材２２１を取り付けることが望ましい。
このような構成では、バルコニユニットを隣接配置する前に、予めバルコニユニットの互いに対向する端面に受材を取り付けておくことで、受材を含むバルコニユニットを隣接配置した後に支持部材を載置するだけで、支持部材は受材に支持される。従って、建築現場での作業を容易に行い、作業効率の向上に繋がる。
【００１５】
なお、第２工程において、バルコニユニットと支持部材上面の角隅部のうち少なくとも一方に弾性部材を取り付けるようにしてもよい。この取付作業は、作業性を向上させる為に、支持部材を隣接するバルコニユニット間に配置した後で行ってもよいし、或いは予め工場で支持部材に艤装してもよい。
【００１６】
一方、本発明のユニット式建物１は、複数の直方体状建物ユニット１１で構成される建物本体１０と、互いに隣接した少なくとも２つのバルコニユニット２１から成るバルコニ２０とで構成されるユニット式建物１であって、バルコニ２０は、前記請求項１〜請求項４のいずれかに記載のバルコニ２０を備えていることを特徴とするものである。
このような本発明によれば、前述のバルコニを備えることで、前述したように本発明の目的が達成されるうえ、前述の他の作用効果をも同様に奏する。
【００１７】
【発明の実施の形態】
以下、本発明の一実施形態を図面に基づいて説明する。
図１には本実施形態に係るバルコニ付きユニット式建物１が示されている。このバルコニ付きユニット式建物１は、一階部分および二階部分を有する建物本体１０と、この建物本体１０の一階部分上面に設けられ、外周に手摺りを備えたバルコニ２０と、建物本体１０の二階部分上に設けられた、屋根３０とを備えて構成されている。
【００１８】
建物本体１０は、予め工場において製造された複数の建物ユニット１１によって構成されている。建物ユニット１１は、図２に示されるように、四角形の四隅に立設された柱１２と、これら柱１２の上端間および下端間に掛け渡された上梁１３および下梁１４とで構成される骨組みを備える。骨組みには、床面材（図示省略）、天井面材（図示省略）、壁材（図示省略）等が取り付けられる。
【００１９】
屋根３０は、建物ユニット１１の二階部分上に形成される小屋組み（図示省略）と、その小屋組み（図示省略）に取り付けられる複数の屋根パネル（図示省略）とを備えて構成されている。ここで、屋根３０は、上記パネル式屋根に限らず、予め工場等において製造された屋根ユニットを、建築現場にて建物ユニット上で組み立てるユニット式屋根を採用してもよい。
【００２０】
バルコニ２０は、図３〜図５に示すように、建物本体１０の一階部分の上に互いに隣接配置された４つのバルコニユニット２１と、その隣接するバルコニユニット２１間の接続部２２Ａ、２２Ｂと、バルコニユニット２１上面と接続部２２Ａ、２２Ｂ上面を覆うように貼り付けられる４枚の合成樹脂製の防水シート２３とを備えて構成される。
【００２１】
バルコニユニット２１は、図３に示すように、一階建物ユニット１１の上に固定される矩形枠状のベースフレーム２１１と、そのベースフレーム２１１上に取り付けられた軽量気泡コンクリートからなる床材２１２とを含んで形成されている。ここで、ベースフレーム２１１の短辺両端部には断面Ｌ字状の固定板２１１Ａが設けられており、その固定板２１１Ａ上に床材２１２が載置され固定されている（図５参照）。また、床材２１２はベースフレーム２１１に調整材２１３を介して建物本体１０から離れる方向に従って下方へ傾斜しているとともに、その傾斜方向先端部には排水溝（図示省略）が設けられている。つまり、この傾斜勾配により雨水等を導き、傾斜方向先端部に設けられた排水溝（図示省略）を通じて外部に排水し、雨仕舞を確保できるようになっている。
【００２２】
接続部２２Ａは、隣接する４つのバルコニユニット２１間の傾斜方向直交部分（前後のバルコニユニット２１間）に位置し、図４に示すように、隣接するバルコニユニット２１の床材２１２の対向する端面にそれぞれ釘で固定された受材２２１と、セメントで形成された支持部材２２２Ａと、弾性部材２２３を備えて構成される。
【００２３】
ここで、支持部材２２２Ａは、バルコニ２０の傾斜方向に直交するとともに、その長辺の長さ寸法がバルコニ２０の長辺と同じ長さを有する。支持部材２２２Ａの両端面は、隣接するバルコニユニット２１の床材２１２の端面と当接し、かつ支持部材２２２Ａ上面は床材２１２の上面から防水シート２３の厚み分、下方に位置するように、受材２２１の上に載置される。
また、弾性部材２２３は、床材２１２と支持部材２２２Ａ上面との角隅部に支持部材２２２Ａの長辺に沿って位置し、その高さ寸法は防水シート２３の厚み分に等しい。
【００２４】
一方、接続部２２Ｂは、隣接する４つのバルコニユニット２１間の傾斜方向（左右のバルコニユニット２１間）に位置し、図５に示すように、各ベースフレーム２１１の対向する短辺端部に設けられた断面Ｌ字上の固定板２１１Ｂと、セメントで形成された２つの支持部材２２２Ｂと、調整材２２４を備えて構成される。
【００２５】
ここで、支持部材２２２Ｂは、その長辺の長さ寸法がバルコニユニット２１の短辺と同じ長さを有する。支持部材２２２Ｂのそれぞれ両端面は、隣接するバルコニユニット２１の床材２１２の端面と当接し、かつ支持部材２２２Ｂ上面は床材２１２の上面と同じ高さレベルに位置するように、調整材２２４を介して固定板２１１Ｂ上に載置される。
【００２６】
防水シート２３は、バルコニユニット２１の床材２１２よりやや大きいサイズを有し、バルコニ２０の傾斜方向下端側に位置する２枚の防水シート２３Ａとバルコニ２０の傾斜方向上端側に位置する２枚の防水シート２３Ｂとで構成されている。これら４枚の防水シート２３Ａ、２３Ｂが支持部材２２２Ａの上面で重ね合わせるように連結して貼り付けられ、バルコニ２０上面を全て覆うように形成される。
【００２７】
したがって、バルコニ２０の施工方法としては、予め工場等にて
ａ）各ベースフレーム２１１の短辺両端部に断面Ｌ字状の固定板２１１Ａを、また、一方の短辺端部に断面Ｌ字上の固定板２１１Ｂを設けるとともに、その固定板２１１Ｂ上面に調整材２２４を固定する。ここで、載置する支持部材２２２Ｂ上面が床材２１２上面と同じ高さレベルに位置するように調整材２２４を固定する。
ｂ）各ベースフレーム２１１にバルコニ２０の傾斜に合わせて調整材２１３を固定する。
【００２８】
ｃ）各床材２１２の一方の長辺端面に受材２２１をそれぞれ釘で固定する。ここで、載置する支持部材２２２Ａ上面が床材２１２上面より防水シート２３の厚み分下方に位置するように受材２２１を固定する。
ｄ）固定板２１１Ａ、２１１Ｂおよび調整材２２４、２１３を含む各ベースフレーム２１１上に受材２２１を含む各床材２１２を固定板２１１Ａに載せて固定し、各バルコニユニット２１を形成する。
ｅ）支持部材２２２Ａの両端部上面にその長辺方向に沿って弾性部材２２３を貼り付ける。
【００２９】
以上を施しておき、建築現場にて
ｆ）各バルコニユニット２１をその傾斜に合わせて各１階建物ユニット１１上に固定する。
ｇ）隣接する各バルコニユニット２１の接続部２２Ａに、弾性部材２２３を含んだ支持部材２２２Ａを受材２２１に載置し、接続部２２Ｂに支持部材２２２Ｂを上面に調整材２２４を固定した固定板２１１Ｂ上に載置する。
【００３０】
ｈ）２枚の防水シート２３Ａを傾斜方向下側に配置された２つのバルコニユニット２１上面それぞれに貼り付け、支持部材２２２Ｂ上面にて重ね合わせて貼り付けるとともに、それら防水シート２３Ａの上端部端縁を傾斜方向下端側に配置された一方の弾性部材２２３の長辺角部で屈曲させ、支持部材２２２Ａ上面に延長し、傾斜方向上端側に配置された他方の弾性部材２２３端縁に当接させる。
【００３１】
ｉ）２枚の防水シート２３Ｂを傾斜方向上側に配置された２つのバルコニユニット２１上面それぞれに貼り付け、支持部材２２２Ｂ上面にて重ね合わせて貼り付けるとともに、それら防水シート２３Ｂの下端部端縁を前記防水シート２３Ａの上端部端縁に重ねるように貼り付ける。ここで、防水シート２３Ｂの下端部端縁は、防水シート２３Ａの上端部の屈曲部に当接するように貼り付ける。以上のような工程によりバルコニ２０を施工することができる。
【００３２】
以上のような本実施形態によれば、以下のような効果がある。
(1)  支持部材２２２Ａ上面部は床材２１２の上面部から防水シート２３の厚み分、下方に位置しているので、傾斜方向下端側に配置された防水シート２３Ａの上端部端縁と傾斜方向上端側に配置された防水シート２３Ｂの下端側端縁とを支持部材２２２Ａ上面において重ねて貼り付けた場合に、防水シート２３Ａの上端部端縁の支持部材２２２Ａと床材２１２上面との段差による屈曲部の高さが防水シート２３の厚み分と等しくなり、屈曲部と防水シート２３Ｂの下端部端縁を当接するように貼り付けることで、段差のない略直線的に連続した面を形成することができる。
したがって、バルコニ２０上面は段差のない略直線的に連続した面で形成され、外観上好ましく、降り注がれた雨水等はバルコニ２０上面にて滞留することなく、スムーズな排水が行われるようになる。
【００３３】
(2)  予め工場等にて、上記ａ）、ｂ）、ｃ）、ｄ）が施され、各バルコニユニット２１が形成されていることにより、各々が運搬し易い大きさとなるので、工場から建築現場への搬送における荷扱いを容易にでき、建築現場にて容易に隣接配置できる。
さらに、ａ）各ベースフレーム２１１の一方の短辺端部に固定板２１１Ｂが設けられるとともに、その上面に調整材２２４が固定され、ｃ）各床材２１２の一方の長辺端面に受材２２１がそれぞれ固定されているので、各バルコニユニット２１を１階建物ユニット１１の上に隣接配置するとともに固定した後、支持部材２２２Ａを受材２２１に載置し、支持部材２２２Ｂを調整材２２４を介して固定板２１１Ｂに載置するだけで、支持部材２２２Ａ、２２２Ｂは受材２２１および固定板２１１Ｂに支持される。
したがって、建築現場にて作業を容易に行え、取付に必要な特別な治具等は不要になり、作業効率の向上に繋がる。
【００３４】
(3)  各バルコニユニット２１間の接続部２２Ａにおいて、防水シート２３Ａ、２３Ｂの接合部と支持部材２２２Ａ上面の間に弾性部材２２３が介在するので、床材２１２上面と支持部材２２２Ａ上面との段差による防水シート２３Ａの屈曲部は、床材２１２角部と接することなく、弾性部材２２３と接している。このため、防水シート２３Ａの屈曲部に対する外力の影響を十分に緩和し、防水シート２３Ａの破損に伴う浸水を防止することができる。
【００３５】
(4)  建築現場にて、ｆ）４つの各バルコニユニット２１をその傾斜に合わせて各１階建物ユニット１１上に固定した後に、ｇ）隣接する各バルコニユニット２１間の接続部２２Ａ、２２Ｂに支持部材２２２Ａ、２２２Ｂを配置するだけで、支持部材２２２Ａ、２２２Ｂは受材２２１および固定板２１１Ｂに支持される。
また、ｈ）、ｉ）各バルコニユニット２１上面と接続部２２Ａ、２２Ｂ上面を覆うように、４枚の防水シート２３Ａ、２３Ｂを支持部材２２２Ａ上面にて重ねるように貼り付けるだけで、バルコニ２０上面には段差のない略直線的に連続した面を形成することができる。
したがって、このような作業工程により、容易な作業でバルコニ２０を形成することができ、また、バルコニ２０上面には段差がなくかつスムーズな排水が行われるようになる。
【００３６】
(5)  上記ｅ）の工程で、支持部材２２２Ａの両端部上面にその長辺方向に沿って弾性部材２２３を貼り付けているので、支持部材２２２Ａ、２２２Ｂを隣接する各バルコニユニット２１間の接続部２２Ａ、２２Ｂに載置した後に、防水シート２３をバルコニ２０上面を覆うように貼り付けることができ、作業を容易に行え、作業効率の向上に繋がる。
【００３７】
なお、本発明は、前記実施の形態に限定されるものではなく、本発明の目的を達成できる範囲での変形、改良等は本発明に含まれるものである。
例えば、前記実施形態では、バルコニユニット２１の床材２１２は、ベースフレーム２１１に調整材２１３を介して、建物本体１０から離れる方向に従って下方へ傾斜している場合を説明したが、この傾斜方向は、それと直交する方向でもよく、また、バルコニ２０を、バルコニ２０上面の建物本体１０から離れる方向、若しくはそれと直交する方向に形成された接続部を境に２つの領域に区画し、領域毎にそれぞれ異なる方向に傾斜を持たせた構成でもよい。
【００３８】
【発明の効果】
請求項１に記載の発明によれば、互いに隣接した少なくとも２つのバルコニユニット間に介在する支持部材の上面は、バルコニユニットの床材上面より下方に位置しているので、隣接するバルコニユニット間の防水処理を目的としてバルコニ上面に貼り付けられる防水シートは、バルコニユニットの床材上面と支持部材上面とにおける段差を利用して貼り付けることができ、バルコニ上面には段差のない略直線的に連続した面を形成することができるという効果がある。
【００３９】
請求項２に記載の発明によれば、支持部材上面がバルコニユニットの床材上面から防水シートの厚み分下方に位置しているので、少なくとも２つのバルコニユニットを支持部材を介して隣接配置した後に、防水シートを貼り付けるだけで、各防水シートの重ね合わされた接合部と支持部材との間に他の部材を介在させなくても、２つの防水シート上面は段差のない略直線的に連続した面を形成することができるという効果がある。
したがって、余分な部材を省略することができ、コスト削減および作業効率が向上するという効果がある。
【００４０】
請求項３に記載の発明によれば、バルコニユニットの床材端面に受材が取り付けてあるので、各バルコニユニットを隣接配置する際、その間に支持部材を配置するだけで、支持部材が受材に支持されるという効果がある。
したがって、取付に必要な特別な治具等は不要になり、作業効率が向上するという効果がある。
【００４１】
請求項４に記載の発明によれば、隣接配置されたバルコニユニット間において、防水シートと支持部材の間に弾性部材が介在するので、床材と支持部材との段差による防水シートの屈曲部は、床材の角部に接することなく、弾性部材と接することになる。このため、防水シートの屈曲部に対する外力の影響を十分に緩和し、防水シートの破損に伴う浸水を防止することができるという効果がある。
【００４２】
請求項５に記載の発明によれば、建築現場にて（１）各バルコニユニットを隣接配置し、（２）その間に支持部材を配置した後、（３）隣接するバルコニユニットの一方側のバルコニユニットの床材上面に防水シートを貼り付けるとともに、その端縁を支持部材上面まで延長させる。（４）そして、隣接するバルコニユニットの他方側のバルコニユニットの床材上面に防水シートを貼り付けるとともに、その端縁を前記一方側のバルコニユニットに配置された防水シートの端縁の上に重なるように貼り付ける。以上のように貼り付けることで、各バルコニユニット上面とその間の支持部材上面を覆うことができ、バルコニ上面には段差のない略直線的に連続した面を形成することができるという効果がある。
したがって、このような作業工程により、容易な作業でバルコニを形成することができ、また、バルコニ上面には段差がなくかつスムーズな排水が行われるようになるという効果がある。
【００４３】
請求項６に記載の発明によれば、バルコニユニットを隣接配置する前に、予めバルコニユニットの互いに対向する端面に受材を取り付けておくことで、受材を含むバルコニユニットを隣接配置した後に支持部材を載置するだけで、支持部材は受材に支持されるという効果がある。
したがって、建築現場での作業を容易に行い、作業効率が向上するという効果がある。
【００４４】
請求項７に記載の発明によれば、前述のバルコニを備えることで、前述したように本発明の目的が達成されるうえ、前述の他の作用効果をも同様に奏するという効果がある。
【図面の簡単な説明】
【図１】本発明の一実施形態に係るユニット式建物を上方から見た全体斜視図である。
【図２】前記ユニット式建物を構成する建物ユニットを上方から見た全体斜視図である。
【図３】図１におけるIII−III線断面図である。
【図４】図３に示したIV部分の拡大図である。
【図５】図１におけるＶ−Ｖ線断面図である。
【符号の説明】
１      ユニット式建物
１１      建物ユニット
２０      バルコニ
２１      バルコニユニット
２１２    床材
２２１    受材
２２２Ａ  支持部材
２２３    弾性部材
２３，２３Ａ，２３Ｂ  防水シート
【図１】
0004307762.tif 000002
【図２】
0004307762.tif 000003
【図３】
0004307762.tif 000004
【図４】
0004307762.tif 000005
【図５】
0004307762.tif 000006